(57)【要約】【課題】回転ドラム内に洗濯物を投入し、洗濯、すすぎ、脱水などの各行程を逐次制御して洗濯するドラム式洗濯機において、すすぎ行程で、回転ドラム内にすすぎ水を循環させて、洗濯物にすすぎ水を通過させることで、使用水量を増やすことなく、すすぎむらを低減するとともにすすぎ力を向上し、すすぎ時間を短縮する。【解決手段】回転中心軸を略水平方向に有する回転ドラムを水受け槽内に回転自在に配設し、この回転ドラムをモータ５により駆動し水受け槽内に給水弁１１により給水し、制御手段２２によりモータ５の動作を制御し洗濯、すすぎ、脱水の各行程を制御する。制御手段２２は、すすぎ行程にて、洗濯物が回転ドラムの内壁に張り付く程度の回転数で回転ドラムを回転させ、その遠心力により回転ドラム内を循環させたすすぎ水を回転ドラム内の洗濯物にかけるように構成する。【選択図】  図１
2004195100.tif 000002
【特許請求の範囲】
【請求項１】
回転中心軸を略水平方向に有し水受け槽内に回転自在に配設した回転ドラムと、前記回転ドラムを駆動するモータと、前記水受け槽内に給水する給水手段と、前記モータの動作を制御し洗濯、すすぎ、脱水の各行程を制御する制御手段とを備え、前記制御手段は、すすぎ行程にて、洗濯物が前記回転ドラムの内壁に張り付く程度の回転数で前記回転ドラムを回転させ、その遠心力により回転ドラム内を循環させたすすぎ水を前記回転ドラム内の洗濯物にかけるように構成したドラム式洗濯機。
【請求項２】
回転中心軸を略斜め方向に有し水受け槽内に回転自在に配設した回転ドラムと、前記回転ドラムを駆動するモータと、前記水受け槽内に給水する給水手段と、前記モータの動作を制御し洗濯、すすぎ、脱水の各行程を制御する制御手段とを備え、前記制御手段は、すすぎ行程にて、洗濯物が前記回転ドラムの内壁に張り付く程度の回転数で前記回転ドラムを回転させ、その遠心力により回転ドラム内を循環させたすすぎ水を前記回転ドラム内の洗濯物に対し、前記回転ドラムの回転中心軸の高位置側からかけるように構成したドラム式洗濯機。
【請求項３】
制御手段は、回転ドラム内にすすぎ水を供給しながら前記回転ドラムの回転数を制御するようにした請求項１または２記載のドラム式洗濯機。
【請求項４】
制御手段は、回転ドラム内の洗濯物にすすぎ水をかけた後、前記回転ドラムを正転、反転する行程を少なくとも一回行うようにした請求項１〜３のいずれか１項に記載のドラム式洗濯機。
【請求項５】
制御手段は、脱水終了後の惰性回転途中からすすぎ行程の給水をするようにした請求項１〜４のいずれか１項に記載のドラム式洗濯機。
【発明の詳細な説明】
【０００１】
【発明の属する技術分野】
本発明は、回転ドラム内に洗濯物を投入し、洗濯、すすぎ、脱水などの各行程を逐次制御して洗濯するドラム式洗濯機に関するものである。
【０００２】
【従来の技術】
従来、この種のドラム式洗濯機は図５および図６に示すように構成していた（例えば、特許文献１参照）。以下、その構成について説明する。
【０００３】
図５および図６に示すように、回転ドラム１は、外周部に多数の通水孔２を全面に設け、水受け槽３内に回転自在に配設している。回転ドラム１の回転中心に略水平方向に回転軸（回転中心軸）４を設け、この回転軸４にモータ５を連結し、回転ドラム１を回転駆動する。回転ドラム１の内壁面に数個の突起板６を設けている。
【０００４】
水受け槽３は洗濯機本体７よりばね体８で揺動可能に吊り下げており、水受け槽３の下部に排水ホース９の一端を接続し、ホース９の他端を排水ポンプ１０に接続して水受け槽３内の洗濯水を排水するようにしている。給水弁１１は水受け槽３内に水を給水するものである。水位検知手段１２は水受け槽３内の水位を検知するものである。
【０００５】
制御装置１３は、マイクロコンピュータで構成した制御手段１４を有し、パワースイッチング手段１５を介してモータ５、排水ポンプ１０、給水弁１１などの動作を制御し、洗濯、すすぎ、脱水などの一連の行程を逐次制御する。入力設定手段１６は、運転コース等を設定するもので、制御手段１４は入力設定手段１６からの情報を入力して、その情報を基に表示手段１７を表示して使用者に知らせる。記憶手段１８は、制御手段１５により制御するのに必要なデータを記憶している。なお、１９は商用電源、２０は電源スイッチである。
【０００６】
上記構成において動作を説明すると、回転ドラム１内に洗濯物と洗剤を投入し、電源、スタートボタン（図示せず）を押し、洗濯行程を開始すると、給水弁１１が動作して給水し、水位検知手段１２により所定の水位Ｎ１を検知するとモータ５を駆動する。また、所定の水位Ｎ２（Ｎ１と同等以上）を検知すると給水を停止する。
【０００７】
洗濯行程では、洗濯物に水が含まれるため補給水しながら、回転ドラム１はモータ５によって所定の回転数および所定の時間において、正転、停止、反転、停止駆動し、回転ドラム１内の洗濯物は突起板６に引っかかり、持ち上げられて水面上に落下する。この動作によって洗剤を徐々に溶解して洗濯水となり、洗濯物の汚れに作用することとなる。洗濯行程が終了すると、排水ポンプ１０を動作して水受け槽３内の洗濯水を排水する。
【０００８】
すすぎ行程では、まず、モータ５を所定の回転数および所定の時間において、連続回転駆動し、回転ドラム１内の洗濯物を回転ドラム１の内壁に貼り付けた状態で回転数を高速にし、その遠心力によって洗濯物内の水分を飛ばして脱水を行う。
【０００９】
ついで、洗濯行程と同様に、補給水しながら、回転ドラム１はモータ５によって所定の回転数および所定の時間において、正転、停止、反転、停止駆動し、回転ドラム１内の洗濯物は突起板６に引っかかり、持ち上げられて水面上に落下する。この動作によってすすぎ水を洗濯物に含めて、洗濯物内の洗剤液を希釈していく。すすぎ行程が終了すると、排水ポンプ１０を動作して水受け槽３内のすすぎ水を排水する。
【００１０】
【特許文献１】
特開平１０−２１６３９０号公報
【００１１】
【発明が解決しようとする課題】
このような従来の構成では、すすぎ行程にて、回転ドラム１の正転、停止、反転、停止駆動によって回転ドラム１内の洗濯物にすすぎ水を含ませながら機械力を与えて、すすぎ性能を確保している。
【００１２】
このため、給水量が少ないドラム式洗濯機では、洗濯物にすすぎ水が均一にかかるために時間を有し、すすぎむらが発生したり、すすぎ力が低下し、すすぎに時間が長くかかる要因の一つになっていた。加えて、すすぎ力を向上するためには、使用水量を増やす必要があった。
【００１３】
本発明は上記従来の課題を解決するもので、すすぎ行程で、回転ドラム内にすすぎ水を循環させて、洗濯物にすすぎ水を通過させることで、使用水量を増やすことなく、すすぎむらを低減するとともにすすぎ力を向上し、すすぎ時間を短縮することを目的としている。
【００１４】
【課題を解決するための手段】
本発明は上記目的を達成するために、回転中心軸を略水平方向に有する回転ドラムを水受け槽内に回転自在に配設し、この回転ドラムをモータにより駆動し水受け槽内に給水手段により給水し、制御手段によりモータの動作を制御し洗濯、すすぎ、脱水の各行程を制御するよう構成し、制御手段は、すすぎ行程にて、洗濯物が前記回転ドラムの内壁に張り付く程度の回転数で回転ドラムを回転させ、その遠心力により回転ドラム内を循環させたすすぎ水を回転ドラム内の洗濯物にかけるように構成したものである。
【００１５】
これにより、すすぎ水を回転ドラム内の洗濯物に通過させるようにかけることができ、少ないすすぎ水でも回転ドラム内の洗濯物にすすぎ水をしみ込みやすくできて、また、洗剤成分を洗濯物から抜けやすくできて、洗濯物内の洗剤成分を希釈しやすくできるため、使用水量を増やすことなく、すすぎむらを低減できるとともにすすぎ力を向上することができ、すすぎ時間を短縮することができる。
【００１６】
【発明の実施の形態】
本発明の請求項１に記載の発明は、回転中心軸を略水平方向に有し水受け槽内に回転自在に配設した回転ドラムと、前記回転ドラムを駆動するモータと、前記水受け槽内に給水する給水手段と、前記モータの動作を制御し洗濯、すすぎ、脱水の各行程を制御する制御手段とを備え、前記制御手段は、すすぎ行程にて、洗濯物が前記回転ドラムの内壁に張り付く程度の回転数で前記回転ドラムを回転させ、その遠心力により回転ドラム内を循環させたすすぎ水を前記回転ドラム内の洗濯物にかけるように構成したものであり、すすぎ水を回転ドラム内の洗濯物に通過させるようにかけることができ、少ないすすぎ水でも回転ドラム内の洗濯物にすすぎ水をしみ込みやすくできて、また、洗剤成分を洗濯物から抜けやすくできて、洗濯物内の洗剤成分を希釈しやすくできるため、すすぎむらを低減できるとともにすすぎ力を向上することができ、すすぎ時間を短縮することができる。
【００１７】
請求項２に記載の発明は、回転中心軸を略斜め方向に有し水受け槽内に回転自在に配設した回転ドラムと、前記回転ドラムを駆動するモータと、前記水受け槽内に給水する給水手段と、前記モータの動作を制御し洗濯、すすぎ、脱水の各行程を制御する制御手段とを備え、前記制御手段は、すすぎ行程にて、洗濯物が前記回転ドラムの内壁に張り付く程度の回転数で前記回転ドラムを回転させ、その遠心力により回転ドラム内を循環させたすすぎ水を前記回転ドラム内の洗濯物に対し、前記回転ドラムの回転中心軸の高位置側からかけるように構成したものであり、回転中心軸を斜め方向にして低い位置に片寄った洗濯物に、逆の高い位置側から回転ドラム内を循環させたすすぎ水を回転ドラム内の洗濯物にかけることで、回転中心軸が水平方向のものよりすすぎ水が斜め方向に広い範囲でかかりやすくなる。これにより、回転中心軸が水平方向のものより、さらに、回転ドラム内の洗濯物にすすぎ水をしみ込みやすくできて、また、洗剤成分を洗濯物から抜けやすくできて、洗濯物内の洗剤成分を希釈しやすくできるため、すすぎむらを低減できるとともにすすぎ力を向上することができ、すすぎ時間を短縮することができる。
【００１８】
請求項３に記載の発明は、上記請求項１または２に記載の発明において、制御手段は、回転ドラム内にすすぎ水を供給しながら前記回転ドラムの回転数を制御するようにしたものであり、洗濯物が回転ドラムの内壁に張り付く程度の回転数で回転ドラムを回転させ、その遠心力にて回転ドラム内を循環させたすすぎ水を回転ドラム内の洗濯物にかけるときに、回転数を制御することで、回転数を低くすると、回転ドラム内に張り付いた洗濯物間にゆとりができてすすぎ水をしみ込みやすくできて、若干洗濯物がこすれあいながら回転してすすぎ水が洗濯物内の洗剤成分に作用しやすくでき、また、回転数を高くすると回転ドラム内に洗濯物が張り付き、すすぎ水が洗濯物を通過して洗剤成分を洗濯物から抜けやすくすることができ、さらに、洗濯物内の洗剤成分を希釈しやすくできるため、すすぎむらを低減できるとともにすすぎ力を向上することができ、すすぎ時間を短縮することができる。
【００１９】
請求項４に記載の発明は、上記請求項１〜３に記載の発明において、制御手段は、回転ドラム内の洗濯物にすすぎ水をかけた後、前記回転ドラムを正転、反転する行程を少なくとも一回行うようにしたものであり、回転ドラム内の洗濯物がすすぎ水を含んだ状態で洗濯物に機械力を作用することで、すすぎ水を洗濯物内の洗剤成分にまんべんなく接触しやすくできて、より多くの洗剤成分を希釈することができ、すすぎむらを低減できるとともにすすぎ力を向上することができる。
【００２０】
請求項５に記載の発明は、上記請求項１〜４に記載の発明において、制御手段は、脱水終了後の惰性回転途中からすすぎ行程の給水をするようにしたものであり、脱水終了後、回転ドラム内に洗濯物が張り付いたままの状態で給水を行い、続けてすすぎ水を循環させることで、バランスよく回転させることができる。また、脱水終了後、いったんほぐれた状態の衣類を再度バランスよく回転ドラムに張り付かせる時間を省くことができ、すすぎ時間を短縮することができる。
【００２１】
【実施例】
以下、本発明の実施例について、図面を参照しながら説明する。なお、従来例と同じ構成のものは同一符号を付して説明を省略する。
【００２２】
（実施例１）
図１および図２に示すように、制御装置２１は、マイクロコンピュータで構成した制御手段２２を有し、パワースイッチング手段１５を介してモータ５、排水ポンプ１０、給水弁（給水手段）１１などの動作を制御し、洗濯、すすぎ、脱水などの一連の行程を逐次制御する。
【００２３】
ここで、制御手段２２は、すすぎ行程にて、洗濯物が回転ドラム１の内壁に張り付く程度の回転数で回転ドラム１を回転させ、その遠心力により回転ドラム１内を循環させたすすぎ水を回転ドラム１内の洗濯物にかけるようにしている。
【００２４】
上記構成においてすすぎ行程の動作を説明する。すすぎ行程が開始すると、まず、モータ５を所定の回転数および所定の時間において、連続回転駆動し、回転ドラム１内の洗濯物を回転ドラム１の内壁に貼り付けた状態で回転数を高速（例えば９００ｒ／ｍｉｎ）にし、その遠心力によって洗濯物内の水分を飛ばして脱水を行う。
【００２５】
ついで、給水弁１１が動作して給水し、水受け槽３に入る。水位検知手段１２により所定の水位Ｎ１を検知するとモータ５を駆動する。また、所定の水位Ｎ２（Ｎ１と同等以上）を検知すると給水を停止する。
【００２６】
このとき、回転ドラム１を洗濯物が回転ドラム１の内壁に張り付く程度の回転数Ｓ１（例えば２００ｒ／ｍｉｎ）で連続回転させると、遠心力の作用で、回転ドラム１内のすすぎ水は張り付いた洗濯物を通過して、回転ドラム１の外周部の通水孔２を通り、水受け槽３の方へ移動して、回転ドラム１と水受け槽３間を上昇し、前面上部より溢れ出て、回転ドラム１内の洗濯物にかかる。このように、洗濯物を通過するすすぎ水が洗濯物に含まれる洗剤成分を希釈して、すすぎを行う。
【００２７】
このように本実施例によれば、すすぎ水を回転ドラム１内の洗濯物に通過させるようにかけることで、少ないすすぎ水でも、回転ドラム１内の洗濯物にすすぎ水をしみ込みやすくでき、また、洗剤成分を洗濯物から抜けやすくできて、洗濯物内の洗剤成分を希釈しやすくできるため、すすぎむらを低減できるとともにすすぎ力を向上することができ、すすぎ時間を短縮することができる。
【００２８】
（実施例２）
図３に示すように、回転ドラム１は、水受け槽３内に回転自在に配設し、回転ドラム１の回転軸４を回転中心に前面が高い、略斜め方向になるように、水受け槽３を洗濯機本体２３よりばね体２４で揺動可能に吊り下げている。
【００２９】
制御装置２１を構成する制御手段２２は、すすぎ行程にて、回転ドラム１を洗濯物が回転ドラム１の内壁に張り付く程度の回転数で回転させ、回転ドラム１内を循環させたすすぎ水を、回転ドラム１内の洗濯物に対し、回転ドラム１の回転中心軸の高位置側からかけるようにしている。他の構成は上記実施例１と同じであり、同一符号を付して説明を省略する。
【００３０】
上記構成においてすすぎ行程における動作を説明する。所定の水位Ｎ２（Ｎ１と同等以上）を検知して給水を停止させた後、洗濯物が回転ドラム１の内壁に張り付く程度の回転数Ｓ１（例えば２００ｒ／ｍｉｎ）で連続回転させると、遠心力の作用で、回転ドラム１内のすすぎ水は張り付いた洗濯物を通過して、回転ドラム１の外周部の通水孔２を通り、水受け槽３の方へ移動して、回転ドラム１と水受け槽３間を上昇し、回転ドラム１の高位置側の前面上部より溢れ出て、斜め方向に落ち、低い位置に片寄った洗濯物にかかる。このとき、洗濯物を通過するすすぎ水が洗濯物に含まれる洗剤成分を希釈する。
【００３１】
このように本実施例によれば、回転ドラム１の回転中心軸を斜め方向にすることで、低い位置に片寄った洗濯物に、逆の高い位置側から斜め方向に、すすぎ水を回転ドラム１内の洗濯物にかけることができ、回転中心軸が水平方向のものより、すすぎ水が斜め方向に広い範囲でかかりやすくなる。
【００３２】
これにより、回転中心軸が水平方向のものより、さらに、回転ドラム１内の洗濯物全体にすすぎ水をしみ込みやすくでき、また、洗剤成分を洗濯物から抜けやすくできて、洗濯物内の洗剤成分を希釈しやすくできるため、すすぎむらを低減できるとともにすすぎ力を向上することができ、すすぎ時間を短縮することができる。
【００３３】
（実施例３）
図４に示すように、回転数検知手段２５は、回転ドラム１の回転数を検知するもので、その出力を制御装置２６を構成する制御手段２７に入力している。制御手段２７は、回転ドラム１内にすすぎ水を供給しながら、回転数検知手段２５の出力に基づいて回転ドラム１の回転数を制御するように構成している。他の構成は上記実施例１または２と同じであり、同一符号を付して説明を省略する。
【００３４】
上記構成においてすすぎ行程における動作を説明する。回転ドラム１を回転させながらすすぎ水を回転ドラム１内に循環させ、前方上部より供給するときに回転数を制御することで、回転数を低くすると、回転ドラム１内に張り付いた洗濯物間にゆとりができてすすぎ水をしみ込みやすくできて、若干洗濯物がこすれあいながら回転してすすぎ水が洗濯物内の洗剤成分に作用しやすくでき、また、回転数を高くすると回転ドラム１内に洗濯物が張り付き、すすぎ水が洗濯物を通過して、洗剤成分を洗濯物から抜けやすくできる。
【００３５】
このように本実施例によれば、回転ドラム１内にすすぎ水を供給しながら、回転ドラム１の回転数を制御することにより、一定の回転数で回転ドラム１を回転させるものより、洗濯物内の洗剤成分を希釈しやすくできるため、すすぎむらを低減できるとともにすすぎ力を向上することができ、すすぎ時間を短縮することができる。
【００３６】
（実施例４）
図１に示す制御手段２２は、回転ドラム１内の洗濯物にすすぎ水をかけた後、回転ドラム１内の洗濯物がすすぎ水を含んだ状態で、回転ドラム１を正転、反転する行程を少なくとも一回行うようにしている。他の構成は上記実施例１〜３と同じである。
【００３７】
上記構成においてすすぎ行程における動作を説明する。制御手段２２は、回転ドラム１内の洗濯物にすすぎ水をかけた後、回転ドラム１を正転、反転して洗濯物に機械力を与える。
【００３８】
このように本実施例によれば、回転ドラム１内の洗濯物がすすぎ水を含んだ状態で洗濯物に機械力を作用するようにしたことで、すすぎ水を洗濯物内の洗剤成分にまんべんなく接触しやすくできて、より多くの洗剤成分を希釈することができ、すすぎむらを低減できるとともにすすぎ力を向上することができる。
【００３９】
（実施例５）
図１に示す制御手段２２は、脱水終了後の惰性回転途中からすすぎ行程の給水をするようにしている。他の構成は上記実施例１〜４と同じである。
【００４０】
上記構成においてすすぎ行程における動作を説明する。制御手段２２は、脱水のモータ５駆動停止後、回転数が減速してくる惰性回転中に、所定回転数Ｓ２（例えば３００ｒ／ｍｉｎ）を検知すると、回転ドラム１内に洗濯物が張り付いたままの状態で給水を行い、続けて回転数Ｓ１（例えば２００ｒ／ｍｉｎ）で連続回転させてすすぎ水を循環させることで、バランスよく回転させることができる。
【００４１】
このように本実施例によれば、脱水終了後の惰性回転途中からすすぎ行程の給水をすることにより、脱水終了後、回転ドラム１内に洗濯物が張り付いたままの状態で給水を行い、続けてすすぎ水を循環させることで、バランスよく回転させることができる。また、脱水終了後、いったんほぐれた状態の衣類を再度バランスよく回転ドラム１に張り付かせる時間を省くことができ、すすぎ時間を短縮することができる。
【００４２】
【発明の効果】
以上のように、本発明の請求項１に記載の発明によれば、すすぎ行程にて、洗濯物が回転ドラムの内壁に張り付く程度の回転数で回転ドラムを回転させ、その遠心力で回転ドラム内を循環させたすすぎ水を、回転ドラム内の洗濯物にかけるように構成したことにより、すすぎ水を回転ドラム内の洗濯物に通過させるようにかけることで、少ないすすぎ水でも、回転ドラム内の洗濯物にすすぎ水をしみ込みやすくでき、また、洗剤成分を洗濯物から抜けやすくできて、洗濯物内の洗剤成分を希釈しやすくできるため、すすぎむらを低減できるとともにすすぎ力を向上することができ、すすぎ時間を短縮することができる。
【図面の簡単な説明】
【図１】本発明の第１の実施例のドラム式洗濯機のブロック回路図
【図２】同ドラム式洗濯機の断面図
【図３】本発明の第２の実施例のドラム式洗濯機の断面図
【図４】本発明の第４の実施例のドラム式洗濯機のブロック回路図
【図５】従来のドラム式洗濯機の断面図
【図６】同ドラム式洗濯機のブロック回路図
【符号の説明】
１  回転ドラム
３  水受け槽
４  回転軸（回転中心軸）
５  モータ
１１  給水弁（給水手段）
２２  制御手段
【図１】
2004195100.tif 000003
【図２】
2004195100.tif 000004
【図３】
2004195100.tif 000005
【図４】
2004195100.tif 000006
【図５】
2004195100.tif 000007
【図６】
2004195100.tif 000008